(57)【要約】【課題】ＵＳＢデバイスの品質を簡易に確認することが可能なＵＳＢ試験装置を提供する。【解決手段】ＵＳＢプラグを有する給電装置をテストするためのＵＳＢ試験装置であって、ＵＳＢプラグと接続されるコネクタと、コネクタの通信線を介して給電装置と通信する通信制御部と、給電装置から電力供給を受けるコネクタの電源線の負荷を制御することが可能な負荷制御部と、通信制御部で取得した給電装置からの電力供給が可能な電力の組み合わせに関する電源供給情報に基づいて、負荷制御部に指示して給電装置から負荷に対する電力供給状態を検査するテスト制御部と、テスト制御部による検査結果を表示する表示部とを備える。【選択図】図１
2018185630.tif 000002
【特許請求の範囲】
【請求項１】
ＵＳＢプラグを有する給電装置をテストするためのＵＳＢ試験装置であって、
前記ＵＳＢプラグと接続されるコネクタと、
前記コネクタの通信線を介して前記給電装置と通信する通信制御部と、
前記給電装置から電力供給を受ける前記コネクタの電源線の負荷を制御することが可能な負荷制御部と、
前記通信制御部で取得した前記給電装置からの電力供給が可能な電力の組み合わせに関する電源供給情報に基づいて、前記負荷制御部に指示して前記給電装置から前記負荷に対する電力供給状態を検査するテスト制御部と、
前記テスト制御部による検査結果を表示する表示部とを備える、ＵＳＢ試験装置。
【請求項２】
前記電源供給情報は、複数の電力リストを含み、
前記テスト制御部は、前記給電装置から前記複数の電力リストの全ての電力リストに示される電圧および電流が前記負荷に対して供給されるように前記負荷制御部に指示する、請求項１記載のＵＳＢ試験装置。
【請求項３】
前記テスト制御部は、前記給電装置から前記複数の電力リストの全ての電力リストに示される電圧および電流が前記負荷に対して供給されるか否かを判断し、
前記表示部は、前記複数の電力リストの全ての電力リストに示される電圧および電流が前記負荷に対して供給されると判断した場合には、前記検査結果が良好と表示する、請求項２記載のＵＳＢ試験装置。
【請求項４】
前記テスト制御部は、前記給電装置から前記複数の電力リストの全ての電力リストに示される電圧および電流が前記負荷に対して供給されるか否かを判断し、
前記表示部は、前記複数の電力リストのうち少なくとも１つの電力リストに示される電圧および電流が前記負荷に対して供給されないと判断した場合には、前記検査結果が不良と表示する、請求項２記載のＵＳＢ試験装置。
【請求項５】
テスト動作するように指示するスイッチをさらに備え、
前記スイッチの指示に従って、前記通信制御部は、前記給電装置と通信する、請求項１記載のＵＳＢ試験装置。
【請求項６】
ＵＳＢプラグを有する受電装置をテストするためのＵＳＢ試験装置であって、
前記ＵＳＢプラグと接続されるコネクタと、
前記コネクタの通信線を介して前記受電装置と通信する通信制御部と、
前記コネクタの電源線を介して前記受電装置に対して電力を供給可能な電源制御部と、
前記通信制御部で取得した前記受電装置からの電力要求に基づいて、前記電源制御部に指示して前記受電装置に対する電力供給状態を検査するテスト制御部と、
前記テスト制御部による検査結果を表示する表示部とを備える、ＵＳＢ試験装置。
【請求項７】
前記テスト制御部は、前記受電装置に対して電力供給が可能な電力の組み合わせに関する第１の電源供給情報を送信するように前記通信制御部に指示し、
前記通信制御部は、前記受電装置から前記第１の電源供給情報に従う前記電力要求を受信する、請求項６記載のＵＳＢ試験装置。
【請求項８】
前記テスト制御部は、前記受電装置に対して前記第１の電源供給情報と異なる前記電力供給が可能な電力の組み合わせに関する第２の電源供給情報を送信するように前記通信制御部に指示し、
前記通信制御部は、前記受電装置から前記第２の電源供給情報に従う前記電力要求を受信する、請求項７記載のＵＳＢ試験装置。
【請求項９】
ＵＳＢプラグを有する給電装置をテストするためのＵＳＢ試験装置であって、
前記ＵＳＢプラグと接続されるコネクタと、
前記コネクタの信号線と所定抵抗との接続を制御する接続部と、
前記接続部による接続状態に応じて、前記給電装置から前記コネクタの電源線に供給される電圧を検査するテスト制御部と、
前記テスト制御部による検査結果を表示する表示部とを備え、
前記テスト制御部は、
前記接続部に指示して、前記コネクタの信号線と前記所定抵抗とを接続した後、前記電源線の電圧が第１の状態となるか否かを判定し、
前記接続部に指示して、前記コネクタの信号線と前記所定抵抗とを接離した後、前記電源線の電圧が第２の状態となるか否かを判定する、ＵＳＢ試験装置。
【請求項１０】
前記テスト制御部は、
前記接続部に指示して、前記コネクタの信号線と前記所定抵抗とを接続した後、第１の期間経過後に前記電源線の電圧が第１の状態となるか否かを判定し、
前記接続部に指示して、前記コネクタの信号線と前記所定抵抗とを接離した後、第２の期間経過後に前記電源線の電圧が第２の状態となるか否かを判定する、請求項９記載のＵＳＢ試験装置。
【請求項１１】
ＵＳＢプラグを有する給電装置と接続可能なＵＳＢ受電装置であって、
前記ＵＳＢプラグと接続されるコネクタと、
前記コネクタの通信線を介して前記給電装置と通信する通信制御部と、
前記給電装置から電力供給を受ける前記コネクタの電源線の負荷を制御することが可能な負荷制御部と、
前記通信制御部で取得した前記給電装置からの電力供給が可能な電力の組み合わせに関する電源供給情報に基づいて、前記負荷制御部に指示して前記給電装置から前記負荷に対する電力供給状態を検査するテスト制御部とを備え、
前記テスト制御部は、検査結果に基づいて前記通信制御部を介して前記給電装置に対して電力要求を指示する、ＵＳＢ受電装置。
【請求項１２】
前記電源供給情報は、複数の電力リストを含み、
前記テスト制御部は、前記給電装置から前記複数の電力リストの全ての電力リストに示される電圧および電流が前記負荷に対して供給されるように前記負荷制御部に指示する、請求項１１記載のＵＳＢ受電装置。
【請求項１３】
前記テスト制御部は、
前記給電装置から前記複数の電力リストの全ての電力リストに示される電圧および電流が前記負荷に対して供給されるか否かを判断し、
前記複数の電力リストのうち少なくとも１つの電力リストに示される電圧および電流が前記負荷に対して供給されないと判断した場合には、前記通信制御部を介して前記給電装置に対して所定電力の電力要求を指示する、請求項１２記載のＵＳＢ受電装置。
【請求項１４】
ＵＳＢプラグを有する給電装置と接続可能なＵＳＢ受電装置であって、
前記ＵＳＢプラグと接続されるコネクタと、
前記コネクタの通信線を介して前記給電装置と通信する通信制御部と、
前記コネクタの信号線と所定抵抗との接続を制御する接続部と、
前記接続部による接続状態に応じて、前記給電装置から前記コネクタの電源線に供給される電圧を検査するテスト制御部とを備え、
前記テスト制御部は、
前記接続部に指示して、前記コネクタの信号線と前記所定抵抗とを接続した後、前記電源線の電圧が第１の状態となるか否かを判定し、
前記接続部に指示して、前記コネクタの信号線と前記所定抵抗とを接離した後、前記電源線の電圧が第２の状態となるか否かを判定し、
判定結果に基づいて、前記通信制御部を介して前記給電装置に対して所定電力の電力要求を指示する、ＵＳＢ受電装置。
【発明の詳細な説明】
【技術分野】
【０００１】
本開示は、ＵＳＢ（Universal Serial Bus）デバイスをテストするＵＳＢ試験装置に関する。
【背景技術】
【０００２】
従来より、ＵＳＢデバイスから他のＵＳＢデバイスに対して電力を供給する構成（ＵＳＢ給電とも称する）が知られている。
【０００３】
この点で、近年では、ＵＳＢコネクタの挿し込み口がリバーシブルになり、どちらの向きでも挿し込むことができる形状を有するＵＳＢ Ｔｙｐｅ−Ｃ等が知られている（非特許文献１）。
【０００４】
従来のＵＳＢデバイスでは、供給される出力電圧は固定電圧（一例として５Ｖ）であったが、機器毎に要求される電力は異なるため給電側の出力電圧も固定ではなく可変にする必要があり高電圧での給電が可能な方式（USB Power Delivery）も提案されている（非特許文献２）。
【先行技術文献】
【非特許文献】
【０００５】
【非特許文献１】Universal Serial Bus Type-C Cable and Connector Specification Rev.1.2
【非特許文献２】Universal Serial Bus Power Delivery Specification Rev.3.0 Ver1.1/Rev2.0 Ver1.3
【発明の概要】
【発明が解決しようとする課題】
【０００６】
一方で、高電圧な給電には、より高い安全性が求められており、ユーザがＵＳＢデバイスの品質について簡易にテスト確認したいというニーズが存在する。
【０００７】
本開示は、上記の課題を解決するためのものであって、ＵＳＢデバイスの品質を簡易に確認することが可能なＵＳＢ試験装置およびＵＳＢ受電装置を提供することを目的とする。
【０００８】
その他の課題と新規な特徴は、本明細書の記述および添付図面から明らかになるであろう。
【課題を解決するための手段】
【０００９】
一実施例によれば、ＵＳＢプラグを有する給電装置をテストするためのＵＳＢ試験装置であって、ＵＳＢプラグと接続されるコネクタと、コネクタの通信線を介して給電装置と通信する通信制御部と、給電装置から電力供給を受けるコネクタの電源線の負荷を制御することが可能な負荷制御部と、通信制御部で取得した給電装置からの電力供給が可能な電力の組み合わせに関する電源供給情報に基づいて、負荷制御部に指示して給電装置から負荷に対する電力供給状態を検査するテスト制御部と、テスト制御部による検査結果を表示する表示部とを備える。
【発明の効果】
【００１０】
一実施例によれば、ＵＳＢ試験装置は、給電装置から負荷に対する電力供給状態を検査するテスト制御部を含むため、給電装置の品質を簡易に確認することが可能である。
【図面の簡単な説明】
【００１１】
【図１】実施形態１に基づくＵＳＢ試験装置１の構成について説明する図である。
【図２】実施形態１に基づくＵＳＢ試験装置１と接続されたＵＳＢデバイスの構成を説明する図である。
【図３】実施形態１に基づくコネクタ１６の回路構成を説明する図である。
【図４】実施形態１に基づく抵抗Ｒｄを接続した場合のコネクタ１６の構成を説明する図である。
【図５】実施形態１に基づくＵＳＢ試験装置１のコールドソケット対応テストについて説明するフロー図である。
【図６】実施形態１に基づくＵＳＢ試験装置１の電源供給テストについて説明するフロー図である。
【図７】実施形態１に基づく電源供給リストを説明する図である。
【図８】実施形態２に基づくＵＳＢ試験装置１と接続されたＵＳＢデバイスの構成を説明する図である。
【図９】実施形態２に基づくＵＳＢ試験装置１の受電テストについて説明するフロー図である。
【図１０】実施形態２に基づく電源供給リストについて説明する図である。
【図１１】実施形態２の変形例に基づくＵＳＢ試験装置１＃の構成について説明する図である。
【図１２】実施形態３に基づく受電装置１００の構成について説明する図である。
【図１３】実施形態３に基づく受電装置１００のコールドソケット対応テストについて説明するフロー図である。
【図１４】実施形態３に基づく受電装置１００の電源供給テストについて説明するフロー図である。
【発明を実施するための形態】
【００１２】
実施形態について図面を参照しながら詳細に説明する。なお、図中同一または相当部分には同一符号を付し、その説明は繰り返さない。
【００１３】
（実施形態１）
＜Ａ．全体構成＞
＜ａ１．ＵＳＢ試験装置１の概要＞
図１は、実施形態１に基づくＵＳＢ試験装置１の構成について説明する図である。
【００１４】
図１を参照して、ＵＳＢ試験装置１は、ＵＳＢデバイスと接続可能に設けられる複数のコネクタ１６、１８と、コネクタ１６，１８にそれぞれ対応して設けられた複数の通信制御部１４，２０とを含む。ＵＳＢ試験装置１は、電源制御部１５と、コネクタ１６に対応して設けられた負荷制御部２４と、電源ラインＶＢＵＳに供給される電圧および電流を検知する検知部１７，２１と、ＵＳＢ試験装置１全体を制御する制御部１０と、スイッチ２２と、表示部１２とを含む。
【００１５】
コネクタ１６，１８は、ＵＳＢデバイスと接続可能に設けられる。本例においては、コネクタ１６は、一例としてＵＳＢデバイス（給電装置）と接続される。コネクタ１８は、ＵＳＢデバイス（受電装置）と接続される。
【００１６】
通信制御部１４，２０は、コネクタ１６，１８に接続された信号線を介してＵＳＢデバイスと通信可能に設けられる。
【００１７】
電源制御部１５は、制御部１０からの指示に従ってコネクタ１８に接続された電源ラインＶＢＵＳに必要な電力を供給する。
【００１８】
負荷制御部２４は、コネクタ１６に接続された電源ラインＶＢＵＳの負荷状態を制御する。
【００１９】
スイッチ２２は、ＵＳＢ試験装置１におけるテスト動作の実行を指示するスイッチである。当該スイッチ２２の押下指示に従ってＵＳＢ試験装置１におけるテスト動作が実行される。
【００２０】
表示部１２は、制御部１０と接続され、テスト動作のテスト結果を表示する。
＜ａ２．ＵＳＢ試験装置１のテスト概要＞
図２は、実施形態１に基づくＵＳＢ試験装置１と接続されたＵＳＢデバイスの構成を説明する図である。
【００２１】
図２を参照して、一例としてＵＳＢ試験装置１とＵＳＢデバイス（給電装置）５０が接続された場合が示されている。具体的には、ＵＳＢデバイス（給電装置）５０は、ＵＳＢプラグＣＢを有する。ＵＳＢデバイス（給電装置）５０のＵＳＢプラグＣＢがコネクタ１６に差し込まれて接続される。
【００２２】
ＵＳＢデバイス（給電装置）５０は、高電圧での給電が可能なＵＳＢＰＤ（USB Power Delivery）の機能を有しており、受電側の要求に対して種々の給電が可能に設けられている。
【００２３】
＜ａ３．ＵＳＢ試験装置１のコネクタ１６の回路構成＞
図３は、実施形態１に基づくコネクタ１６の回路構成を説明する図である。
【００２４】
図３を参照して、コネクタ１６は、スイッチＳＷ２〜ＳＷ７（以下、スイッチＳＷとも称する）と、抵抗Ｒｐ１，Ｒｐ２と、抵抗Ｒｄ１，Ｒｄ２とを含む。なお、抵抗Ｒｐ１，Ｒｐ２と、抵抗Ｒｄ１，Ｒｄ２とは外付けで設けるようにしてもよい。
【００２５】
スイッチＳＷ２，ＳＷ３は、プラグ用電源配線３７（ＶＣＯＮＮ線）に電源を供給するためのスイッチである。スイッチＳＷ２は、ＶＣＯＮＮ線と電源との間に設けられ、制御信号ＶＣＯＮＮ１＿ＤＲＶに従って導通／非導通に設定される。スイッチＳＷ３は、ＶＣＯＮＮ２線と電源との間に設けられ、制御信号ＶＣＯＮＮ２＿ＤＲＶに従って導通／非導通に設定される。
【００２６】
スイッチＳＷ４は、抵抗Ｒｐ１と直列に電源とＣＣ１線との間に設けられ、制御信号Ｒｐ１＿ｅｎに従って導通／非導通に設定される。
【００２７】
スイッチＳＷ５は、抵抗Ｒｄ１と直列にＣＣ１線と接地電圧との間に設けられ、制御信号Ｒｄ１＿ｅｎに従って導通／非導通に設定される。
【００２８】
スイッチＳＷ６は、抵抗Ｒｐ２と直列に電源とＣＣ２線との間に設けられ、制御信号Ｒｐ２＿ｅｎに従って導通／非導通に設定される。
【００２９】
スイッチＳＷ７は、抵抗Ｒｄ２と直列にＣＣ２線と接地電圧との間に設けられ、制御信号Ｒｄ２＿ｅｎに従って導通／非導通に設定される。
【００３０】
スイッチＳＷ２〜ＳＷ７を制御する各制御信号は、通信制御部２０から出力される。
ＣＣ１線およびＣＣ２線のうち一方がポートコンフィギュレーション配線３３（ＣＣ線）と接続され、他方がプラグ用電源配線３７と接続される。
【００３１】
ポートコンフィギュレーション配線３３は、通信線であり当該配線を用いて通信処理が実行される。
【００３２】
プラグ用電源配線３７は、ポートコンフィギュレーション配線３３を用いて通信する通信チップの電源用に用いられる。
【００３３】
コネクタ１６は、プラグＣＢの表面および裏面のいずれの側での接続も可能に設けられている。
【００３４】
コネクタ１６とプラグＣＢの表面との接続の場合には、ＣＣ１線とプラグ用電源配線３７とが接続される。また、ＣＣ２線とポートコンフィギュレーション配線３３とが接続される。
【００３５】
一方、コネクタ１６とプラグＣＢの裏面との接続の場合には、ＣＣ１線とポートコンフィギュレーション配線３３とが接続される。また、ＣＣ２線とプラグ用電源配線３７とが接続される。
【００３６】
スイッチＳＷの切り替えに従ってプラグＣＢの表面あるいは裏面のいずれに接続されているかを識別することが可能である。
【００３７】
図４は、実施形態１に基づく抵抗Ｒｄを接続した場合のコネクタ１６の構成を説明する図である。
【００３８】
図４に示されるように、通信制御部２０は、制御信号Ｒｄ１＿ｅｎ，Ｒｄ２＿ｅｎを入力（一例として「Ｈ」レベル）してスイッチＳＷを導通させる。
【００３９】
これに伴いＣＣ１線、ＣＣ２線は抵抗Ｒｄ１，Ｒｄ２を介してそれぞれ接地電圧ＧＮＤと接続される。
【００４０】
ＣＣ１線はプラグ用電源配線３７と接続される。
ＣＣ２線はポートコンフィギュレーション配線３３と接続される。
【００４１】
ＵＳＢデバイス（給電装置）５０は、プラグ用電源配線３７の電圧レベルを検出する。
具体的には、プラグ用電源配線３７は、図示しないが抵抗Ｒａを介して電源電圧ＶＤＤと接続されている。
【００４２】
したがって、プラグ用電源配線３７がＣＣ１線と接続され、ＣＣ１線が抵抗Ｒｄ１と接続された場合には、プラグ用電源配線３７は、抵抗Ｒｐと抵抗Ｒａとの抵抗分割に従う中間電圧となる。
【００４３】
ＵＳＢデバイス（給電装置）５０は、プラグ用電源配線３７が中間電圧になったことを検出した場合に接続されたと判断する。
【００４４】
ＵＳＢデバイス（給電装置）５０は、ＵＳＢデバイス（受電装置）と接続されたと判断した場合に電源ラインＶＢＵＳに電圧（５Ｖ）を供給する。
【００４５】
なお、本例においては、コネクタ１６について説明したが、コネクタ１８についても同様の方式に従ってプラグＣＢとＣＣ線との接続を検出する。
【００４６】
＜Ｂ．テスト方法＞
＜ｂ１．コールドソケット対応テスト＞
コールドソケット対応テストは、ＵＳＢデバイス（給電装置）がＵＳＢデバイス（受電装置）との接続／未接続の検知に従って電源ラインＶＢＵＳを５Ｖ／０Ｖに設定するかを確認するテストである。
【００４７】
コールドソケット対応のＵＳＢデバイス（給電装置）は、未接続の場合には、電源ラインＶＢＵＳを０Ｖに設定しているため安全に装置間接続を実行することが可能である。
【００４８】
一方、コールドソケット非対応のＵＳＢデバイス（給電装置）は、電源ラインＶＢＵＳを所定電圧に設定しているため、装置間接続により機器故障、機器加熱による燃焼等の安全性を考慮する必要がある。
【００４９】
図５は、実施形態１に基づくＵＳＢ試験装置１のコールドソケット対応テストについて説明するフロー図である。
【００５０】
図５を参照して、ＵＳＢ試験装置１は、テスト指示があるかどうかを判断する（ステップＳ２）。具体的には、制御部１０は、スイッチ２２による操作指示が有るかどうかを判断する。
【００５１】
ステップＳ２において、テスト指示が有ると判断した場合（ステップＳ２においてＹＥＳ）には、ＵＳＢ試験装置１は、Ｒｄ抵抗を接続する（ステップＳ４）。具体的には、制御部１０は、通信制御部２０に指示して、コネクタ１６のＣＣ線を図４で説明した接続状態に設定する。
【００５２】
ＵＳＢデバイス（給電装置）５０は、上記したようにプラグ用電源配線３７が中間電圧になったことを検出した場合に接続されたと判断する。これにより、ＵＳＢデバイス（給電装置）５０は、ＵＳＢデバイス（受電装置）と接続されたと判断した場合に電源ラインＶＢＵＳに電圧（５Ｖ）を供給する。
【００５３】
次に、ＵＳＢ試験装置１は、所定期間が経過したか否かを判断する（ステップＳ６）。
ステップＳ６において、ＵＳＢ試験装置１は、所定期間が経過するまでステップＳ６の状態を維持し、所定期間が経過したと判断した場合（ステップＳ６においてＹＥＳ）に、電源ラインＶＢＵＳが５Ｖであるか否かを判断する（ステップＳ８）。具体的には、制御部１０は、検知部２１からの検知結果として電源ラインＶＢＵＳの電圧が５Ｖであるか否かを判断する。所定期間として一例として２７５ｍｓに設定することが可能である。
【００５４】
ステップＳ８において、ＵＳＢ試験装置１は、電源ラインＶＢＵＳが５Ｖでないと判断した場合（ステップＳ８においてＮＯ）には、未接続表示する（ステップＳ２０）。
【００５５】
具体的には、制御部１０は、検知部２１からの検知結果として電源ラインＶＢＵＳの電圧が５Ｖで無いと判断した場合には、表示部１２に未接続を表示するように指示する。これにより、表示部１２は、未接続を表示する。
【００５６】
そして、処理を終了する（エンド）。
ＵＳＢ試験装置１は、ＵＳＢデバイス（給電装置）５０が未接続の場合には、当該状態を表示し、ユーザに通知することが可能である。
【００５７】
また、ＵＳＢ試験装置１は、ＵＳＢデバイス（給電装置）５０が接続されているにも関わらず当該状態が表示される場合には、ＵＳＢデバイス（給電装置）５０の不良あるいは、接続不良であることをユーザに通知することが可能である。
【００５８】
ステップＳ８において、ＵＳＢ試験装置１は、電源ラインＶＢＵＳが５Ｖであると判断した場合（ステップＳ８においてＹＥＳ）には、次に、Ｒｄ抵抗を接離する（ステップＳ１０）。具体的には、制御部１０は、検知部２１からの検知結果として電源ラインＶＢＵＳが５Ｖであると判断した場合には、通信制御部２０に指示して、コネクタ１６のＣＣ線を図３で説明した初期状態に設定する。
【００５９】
ＵＳＢデバイス（給電装置）５０は、コールドソケット対応の場合には、上記したようにプラグ用電源配線３７が中間電圧でないことを検出した場合に未接続と判断する。ＵＳＢデバイス（給電装置）５０は、ＵＳＢデバイス（受電装置）と接続されていないと判断した場合に電源ラインＶＢＵＳを０Ｖに設定する。
【００６０】
一方、ＵＳＢデバイス（給電装置）５０は、コールドソケット非対応の場合には、上記判断はされず電源ラインＶＢＵＳは５Ｖの状態に維持される。
【００６１】
次に、ＵＳＢ試験装置１は、所定期間が経過したか否かを判断する（ステップＳ１２）。
【００６２】
ステップＳ１２において、ＵＳＢ試験装置１は、所定期間が経過するまでステップＳ１２の状態を維持し、所定期間が経過したと判断した場合（ステップＳ１２においてＹＥＳ）に、電源ラインＶＢＵＳが０Ｖであるか否かを判断する（ステップＳ１４）。具体的には、制御部１０は、検知部２１からの検知結果として電源ラインＶＢＵＳの電圧が０Ｖであるか否かを判断する。所定期間として一例として６５０ｍｓに設定することが可能である。
【００６３】
ステップＳ１４において、ＵＳＢ試験装置１は、電源ラインＶＢＵＳが０Ｖであると判断した場合には、コールドソケット対応と表示する（ステップＳ１６）。具体的には、制御部１０は、検知部２１からの検知結果として電源ラインＶＢＵＳが０Ｖであると判断した場合には、表示部１２にコールドソケット対応である旨を表示するように指示する。
【００６４】
一方、ステップＳ１４において、ＵＳＢ試験装置１は、電源ラインＶＢＵＳが５Ｖであると判断した場合には、コールドソケット非対応と表示する（ステップＳ１８）。具体的には、制御部１０は、検知部２１からの検知結果として電源ラインＶＢＵＳが０Ｖで無いと判断した場合には、表示部１２にコールドソケット非対応である旨を表示するように指示する。
【００６５】
そして、処理を終了する（エンド）。
当該処理により、ＵＳＢ試験装置１は、ＵＳＢデバイス（給電装置）５０がコールドソケット対応の場合には、当該状態を表示し、ユーザに通知することが可能である。
【００６６】
また、ＵＳＢ試験装置１は、ＵＳＢデバイス（給電装置）５０がコールドソケット非対応の場合には、当該状態を表示し、ユーザに通知することが可能である。当該コールドソケット対応テストにより、ＵＳＢデバイス（給電装置）５０の品質を簡易に確認することが可能である。
【００６７】
＜ｂ２．電源供給テスト＞
電源供給テストは、ＵＳＢデバイス（給電装置）がＵＳＢデバイス（受電装置）が要求する電力を供給可能かを確認するテストである。
【００６８】
ＵＳＢデバイス（給電装置）は、ＵＳＢデバイス（受電装置）と接続された場合に、自身が供給可能な電力情報を格納した電源供給リストを送信する。ＵＳＢデバイス（受電装置）は、当該電源供給リストの中から必要な電力をＵＳＢデバイス（給電装置）に要求する。
【００６９】
ＵＳＢデバイス（給電装置）は、ＵＳＢデバイス（受電装置）からの要求に応じた電力を電源ラインＶＢＵＳに供給する。
【００７０】
ＵＳＢ試験装置１は、電源供給テストにより、ＵＳＢデバイス（給電装置）５０から電源供給リストに格納された電力情報が適正に供給されるか否かを確認する。電源供給リストは、ＵＳＢデバイス（給電装置）５０から電力供給が可能な複数の電力の組み合わせに関する情報（電源供給情報）である。
【００７１】
当該電源供給テストにより、ＵＳＢデバイス（給電装置）５０の品質を簡易に確認することが可能である。
【００７２】
図６は、実施形態１に基づくＵＳＢ試験装置１の電源供給テストについて説明するフロー図である。
【００７３】
図６を参照して、制御部１０は、電源供給リストを取得したか否かを判断する（ステップＳ３０）。具体的には、通信制御部２０は、ＵＳＢデバイス（給電装置）５０からＣＣ線を介してＵＳＢデバイス（給電装置）５０の通信制御部（図示せず）から電源供給リストを取得する。通信制御部２０は、取得した電源供給リストを制御部１０に出力する。
【００７４】
ステップＳ３０において、制御部１０は、電源供給リストを取得したと判断した場合（ステップＳ３０においてＹＥＳ）には、電源供給リストを確認する（ステップＳ３２）。
【００７５】
図７は、実施形態１に基づく電源供給リストを説明する図である。
図７を参照して、電源供給リストとして、４パターンの電力供給が可能なパターンがリストとして示されている。
【００７６】
具体的には、識別番号ＩＤ０に関連付けられて２０Ｖ、５Ａが設定されている。すなわち、１００Ｗの電力が供給可能な場合が示されている。
【００７７】
また、識別番号ＩＤ１に関連付けられて１５Ｖ、５Ａが設定されている。すなわち、７５Ｗの電力が供給可能な場合が示されている。
【００７８】
また、識別番号ＩＤ２に関連付けられて１０Ｖ、３Ａが設定されている。すなわち、３０Ｗの電力が供給可能な場合が示されている。
【００７９】
また、識別番号ＩＤ３に関連付けられて５Ｖ、３Ａが設定されている。すなわち、１５Ｗの電力が供給可能な場合が示されている。
【００８０】
再び図６を参照して、制御部１０は、電源供給リストの中から１つを選択する（ステップＳ３４）。具体的には、制御部１０は、電源供給リストの中の選択した識別番号ＩＤを通信制御部２０に通知する。通信制御部２０は、ＣＣ線を介してコネクタ１６と接続されたＵＳＢデバイス（給電装置）５０に選択した識別番号ＩＤを送信する。一例として、通信制御部２０は、識別番号ＩＤ０をＵＳＢデバイス（給電装置）５０に送信する。これによりＵＳＢデバイス（給電装置）５０は、電源ラインＶＢＵＳに対して電圧２０Ｖおよび電流５Ａが流すことが可能な電源を電源ラインＶＢＵＳと接続する。
【００８１】
次に、制御部１０は、選択した電源供給リストの電力情報に基づいて負荷制御部２４に指示する（ステップＳ３６）。具体的には、制御部１０は、電源供給リストにおける識別番号ＩＤ０に関連付けられている２０Ｖ、５Ａを選択した場合には、電源ラインＶＢＵＳに５Ａの電流が供給されるように負荷を調整する。一例として電源ラインＶＢＵＳと接続される抵抗素子の抵抗値を調整することにより負荷を調整することが可能である。
【００８２】
次に、制御部１０は、ＵＳＢデバイス（給電装置）５０からの電力の供給がＯＫであるか否かを判断する（ステップＳ３８）。具体的には、検知部２１は、電源ラインＶＢＵＳに供給される電圧および電流を検知して、検知結果を制御部１０に出力する。制御部１０は、検知部２１から出力される検知結果に基づいて、ＵＳＢデバイス（給電装置）５０から電力が適正に供給されているか否かを判断する。
【００８３】
ステップＳ３８において、制御部１０は、電力の供給がＯＫであると判断した場合（ステップＳ３８においてＹＥＳ）には、電源供給リストの全ての項目を選択したか否かを判断する（ステップＳ４０）。
【００８４】
ステップＳ４０において、制御部１０は、電源供給リストの全ての項目を選択していないと判断した場合（ステップＳ４０においてＮＯ）には、ステップＳ３４に戻る。
【００８５】
ステップＳ３４において、制御部１０は、電源供給リストの中から未選択の項目を選択する。そして、制御部１０は、選択した識別番号ＩＤを通信制御部２０に通知する。通信制御部２０は、ＣＣ線を介してコネクタ１６と接続されたＵＳＢデバイス（給電装置）５０に選択した識別番号ＩＤを送信する。一例として、通信制御部２０は、識別番号ＩＤ１をＵＳＢデバイス（給電装置）５０に送信する。これによりＵＳＢデバイス（給電装置）５０は、電源ラインＶＢＵＳに対して電圧１５Ｖおよび電流３Ａが流すことが可能な電源を電源ラインＶＢＵＳに接続する。
【００８６】
制御部１０は、電源供給リストにおける識別番号ＩＤ１に関連付けられている１５Ｖ、３Ａを選択した場合には、電源ラインＶＢＵＳに３Ａの電流が供給されるように負荷を調整する。
【００８７】
そして、制御部１０は、電源供給がＯＫであるか否かを判断する。
当該処理を、電源供給リストの項目全てに対して実行する。
【００８８】
そして、ステップＳ４０において、制御部１０は、電源供給リストの全ての項目を選択したと判断した場合（ステップＳ４０においてＹＥＳ）には、良好判定を表示するように表示部１２に指示する（ステップＳ４２）。表示部１２は、ＵＳＢデバイス（給電装置）５０の電力の供給が良好である旨を表示する。
【００８９】
そして、処理を終了する（エンド）。
一方、ステップＳ３８において、制御部１０は、電力の供給がＯＫでないと判断した場合（ステップＳ３８においてＮＯ）には、不良判定を表示するように表示部１２に指示する（ステップＳ４４）。表示部１２は、ＵＳＢデバイス（給電装置）５０の電力の供給が良好で無い旨（不良）を表示する。
【００９０】
そして、処理を終了する（エンド）。
当該処理により、ＵＳＢ試験装置１は、電源供給テストにより、ＵＳＢデバイス（給電装置）５０から電源供給リストに格納された電力情報が適正に供給されるか否かを確認することが可能である。当該電源供給テストにより、ＵＳＢデバイス（給電装置）５０の品質を簡易に確認することが可能である。
【００９１】
なお、本例においては、表示部１２においてＵＳＢデバイス（給電装置）５０の良好あるいは不良の判定を表示する場合について説明するが、特に限られず、具体的にどの電源供給テストが不良であるかをデータにより表示するようにしてもよい。
【００９２】
また、本例においては、電源供給リストに基づいて電源が適正に変更されたか否かを判断する検査方式について説明しているが、これに限られず、例えば電源変更の遷移状態も検査して、良好あるいは不良を判定するようにしてもよい。
【００９３】
（実施形態２）
＜ａ３．ＵＳＢ試験装置１のテスト概要＞
図８は、実施形態２に基づくＵＳＢ試験装置１と接続されたＵＳＢデバイスの構成を説明する図である。
【００９４】
図８を参照して、ＵＳＢ試験装置１とＵＳＢデバイス（受電装置）６０が接続された場合が示されている。具体的には、ＵＳＢデバイス（受電装置）６０は、ＵＳＢプラグＣＡを有する。ＵＳＢデバイス（受電装置）６０のＵＳＢプラグＣＡがコネクタ１８に差し込まれて接続される。
【００９５】
ＵＳＢデバイス（受電装置）６０は、ＵＳＢ試験装置１からの電力供給を受けて動作する。ＵＳＢ試験装置１は、高電圧での給電が可能なＵＳＢＰＤ（USB Power Delivery）の機能を有しており、受電側の要求に対して種々の給電が可能に設けられている。
【００９６】
＜ｂ３．受電テスト＞
受電テストは、ＵＳＢデバイス（受電装置）６０がＵＳＢデバイス（給電装置）であるＵＳＢ試験装置１に対して電力を要求した場合に、ＵＳＢデバイス（受電装置）６０側で適正に受電されるか否かを確認するテストである。
【００９７】
ＵＳＢ試験装置１は、ＵＳＢデバイス（受電装置）６０と接続された場合に、自身が供給可能な電力情報を格納した電源供給リストを送信する。ＵＳＢデバイス（受電装置）６０は、当該電源供給リストの中から必要な電力をＵＳＢ試験装置１に要求する。
【００９８】
ＵＳＢ試験装置１は、ＵＳＢデバイス（受電装置）６０からの要求に応じた電力を電源ラインＶＢＵＳに供給する。
【００９９】
ＵＳＢ試験装置１は、受電テストにより、ＵＳＢデバイス（受電装置）６０から電力の要求を受けて、要求に応じた電力を供給する電源を電源ラインＶＢＵＳと接続する。
【０１００】
当該状態において、ＵＳＢデバイス（受電装置）６０が要求通りの電力を適正に受電するか否かを確認する。
【０１０１】
当該受電テストにより、ＵＳＢデバイス（受電装置）６０の品質を確認することが可能である。
【０１０２】
図９は、実施形態２に基づくＵＳＢ試験装置１の受電テストについて説明するフロー図である。
【０１０３】
図９を参照して、制御部１０は、テスト指示が有るかどうかを判断する（ステップＳ５０）。
【０１０４】
ステップＳ５０において、制御部１０は、テスト指示が有るまで待機し（ステップＳ５０においてＮＯ）、テスト指示が有ると判断した場合（ステップＳ５０においてＹＥＳ）には、電源供給リストを通知する（ステップＳ５２）。具体的には、制御部１０は、通信制御部２０に電源供給リストを通知する。通信制御部２０は、当該電源供給リストをＵＳＢデバイス（受電装置）６０に送信する。
【０１０５】
次に、制御部１０は、リクエストが有るか否かを判断する（ステップＳ５４）。具体的には、通信制御部２０は、ＵＳＢデバイス（受電装置）６０から電源供給リストの中から電力のリクエストを受信したか否かを判断する。通信制御部２０は、ＵＳＢデバイス（受電装置）６０からリクエストを受信した場合には、制御部１０に通知する。
【０１０６】
ステップＳ５４において、制御部１０は、リクエストが有ると判断した場合（ステップＳ５４においてＹＥＳ）には、次にリクエスト受領を通知する（ステップＳ５６）。
【０１０７】
具体的には、制御部１０は、通信制御部２０に対してリクエストが有る場合にはリクエストを受領した旨をＵＳＢデバイス（受電装置）６０に送信するように指示する。
【０１０８】
次に、制御部１０は、電源を供給する（ステップＳ５８）。具体的には、制御部１０は、リクエストがあった電力を供給するように電源制御部１５に対して指示する。これにより電源制御部１５は、電源ラインＶＢＵＳにリクエストされた電力を供給するために必要な電源を接続する。
【０１０９】
次に、制御部１０は、電源の接続を変更した旨を通知する（ステップＳ６０）。具体的には、制御部１０は、通信制御部２０に対して、ＵＳＢデバイス（受電装置）６０に電源の接続を変更した旨を送信するように指示する。ＵＳＢデバイス（受電装置）６０は、当該情報を受信することにより電源ラインＶＢＵＳから必要な電力供給が可能であることが認識される。そして、ＵＳＢデバイス（受電装置）６０は、電源ラインＶＢＵＳと負荷とを接続する。
【０１１０】
次に、制御部１０は、電力の受電がＯＫであるか否かを判断する（ステップＳ６２）。具体的には、検知部１７は、電源ラインＶＢＵＳの電圧および電流を検知して、検知結果を制御部１０に出力する。制御部１０は、検知部１７から出力される検知結果に基づいて、ＵＳＢデバイス（受電装置）６０について、適正に電力が受電されているか否かを判断する。
【０１１１】
ステップＳ６２において、制御部１０は、電力の受電がＯＫであると判断した場合（ステップＳ６２においてＹＥＳ）には、電源供給リストの全ての項目を選択したか否かを判断する（ステップＳ６４）。
【０１１２】
ステップＳ６４において、制御部１０は、電源供給リストの全ての項目を選択していないと判断した場合には、電源供給リストを修正する（ステップＳ７０）。そして、ステップＳ６２に戻る。
【０１１３】
ステップＳ６２において、制御部１０は、修正された電源供給リストを通信制御部２０に通知する。通信制御部２０は、当該電源供給リストをＵＳＢデバイス（受電装置）６０に送信する。次に、制御部１０は、ＵＳＢデバイス（受電装置）６０からリクエストが有るか否かを判断する。制御部１０は、リクエストが有ると判断した場合には、リクエスト受領を通知する。そして、リクエストがあった電力を供給するように電源制御部１５に対して指示する。これにより電源制御部１５は、電源ラインＶＢＵＳにリクエストされた必要な電源を接続する。そして、制御部１０は、電源の接続を変更した旨をＵＳＢデバイス（受電装置）６０に通知し、電力の受電がＯＫであるか否かを判断し、当該処理を繰り返す。
【０１１４】
一方、ステップＳ６４において、制御部１０は、電源供給リストの全ての項目を選択したと判断した場合（ステップＳ６４においてＹＥＳ）には、良好判定を表示するように表示部１２に指示する（ステップＳ６６）。表示部１２は、ＵＳＢデバイス（受電装置）６０の受電が良好である旨を表示する。
【０１１５】
そして、処理を終了する（エンド）。
一方、ステップＳ６２において、制御部１０は、電力の受電がＯＫでないと判断した場合（ステップＳ６２においてＮＯ）には、不良判定を表示するように表示部１２に指示する（ステップＳ６８）。表示部１２は、ＵＳＢデバイス（受電装置）６０の受電が良好で無い旨（不良）を表示する。
【０１１６】
そして、処理を終了する（エンド）。
図１０は、実施形態２に基づく電源供給リストについて説明する図である。
【０１１７】
図１０（Ａ）に示されるように、４パターンの電力供給が可能なパターンがリストとして示されている。
【０１１８】
具体的には、識別番号ＩＤ０に関連付けられて２０Ｖ、５Ａが設定されている。すなわち、１００Ｗの電力が供給可能な場合が示されている。
【０１１９】
また、識別番号ＩＤ１に関連付けられて１５Ｖ、５Ａが設定されている。すなわち、７５Ｗの電力が供給可能な場合が示されている。
【０１２０】
また、識別番号ＩＤ２に関連付けられて１０Ｖ、３Ａが設定されている。すなわち、３０Ｗの電力が供給可能な場合が示されている。
【０１２１】
また、識別番号ＩＤ３に関連付けられて５Ｖ、３Ａが設定されている。すなわち、１５Ｗの電力が供給可能な場合が示されている。
【０１２２】
一例として、識別番号ＩＤ０に対応する項目が最初に選択されたものとする。
次に、図１０（Ｂ）に示されるように、修正された３パターンの電力供給が可能なパターンがリストとして示されている。
【０１２３】
具体的には、識別番号ＩＤ０を除いた識別番号ＩＤ１〜ＩＤ３に対応する電力供給が可能なパターンが示されている。
【０１２４】
一例として、識別番号ＩＤ１に対応する項目が次に選択されたものとする。
次に、図１０（Ｃ）に示されるように、修正された２パターンの電力供給が可能なパターンがリストとして示されている。
【０１２５】
具体的には、識別番号ＩＤ１を除いた識別番号ＩＤ２，ＩＤ３に対応する電力供給が可能なパターンが示されている。
【０１２６】
一例として、識別番号ＩＤ２に対応する項目が次に選択されたものとする。
次に、図１０（Ｄ）に示されるように、修正された１パターンの電力供給が可能なパターンがリストとして示されている。
【０１２７】
具体的には、識別番号ＩＤ２を除いた識別番号ＩＤ３に対応する電力供給が可能なパターンが示されている。
【０１２８】
制御部１０が、修正された１パターンの電源供給リストの電力の受電がＯＫであると判断した場合に、制御部１０は、電源供給リストの全ての項目を選択したと判断する。
【０１２９】
そして、制御部１０は、良好判定を表示するように表示部１２に指示する。
一方で、制御部１０は、電源供給リストに示される電力供給による受電がＵＳＢデバイス（受電装置）６０で行なわれない場合には、不良判定を表示するように表示部１２に指示する。
【０１３０】
当該受電テストにより、ＵＳＢデバイス（受電装置）６０がＵＳＢ試験装置１に対して電力を要求した場合に、ＵＳＢデバイス（受電装置）側で適正に受電されるか否かを確認することが可能である。
【０１３１】
これにより、ＵＳＢデバイス（受電装置）の品質を簡易に確認することが可能である。
（変形例）
図１１は、実施形態２の変形例に基づくＵＳＢ試験装置１＃の構成について説明する図である。
【０１３２】
図１１を参照して、ＵＳＢ試験装置１＃は、ＵＳＢ試験装置１と比較して外部機器と接続可能な外部接続端子１３をさらに設けた点が異なる。他の構成については、ＵＳＢ試験装置１で説明したのと同様であるのでその詳細な説明については繰り返さない。
【０１３３】
外部接続端子１３を設けることによりＵＳＢ試験装置１＃におけるテスト結果を外部接続端子１３を介する外部機器に出力したり、あるいは、外部機器から外部接続端子１３を介してＵＳＢ試験装置１を制御するようにしてもよい。
【０１３４】
（実施形態３）
図１２は、実施形態３に基づく受電装置１００の構成について説明する図である。
【０１３５】
図１２を参照して、受電装置１００は、実施形態１で説明したＵＳＢ試験装置１が有する機能を備えた装置である。
【０１３６】
受電装置１００は、ＵＳＢデバイスと接続可能に設けられるコネクタ１６と、コネクタ１６に対応して設けられた通信制御部２０とを含む。また、受電装置１００は、コネクタ１６に対応して設けられた負荷制御部２４と、電源ラインＶＢＵＳに供給される電圧および電流を検知する検知部２１と、受電装置１００全体を制御する制御部１０と、スイッチ２２と、表示部１２とを含む。図１と同様の符号を有する機能ブロックについては実施形態１で説明したのと同様であるのでその詳細な説明については繰り返さない。
【０１３７】
本例における受電装置１００は、テスト機能を有している。
具体的には、コールドソケット対応テストおよび電源供給テストが可能に設けられている。
【０１３８】
図１３は、実施形態３に基づく受電装置１００のコールドソケット対応テストについて説明するフロー図である。
【０１３９】
図１３を参照して、図５のフロー図と比較してステップＳ１９の処理を追加した点が異なる。その他の処理については同様であるのでその詳細な説明については繰り返さない。
【０１４０】
ステップＳ１８において、コールドソケット非対応と表示された場合に、制御部１０は、電力制限処理を実行する（ステップＳ１９）。
【０１４１】
具体的には、制御部１０は、ＵＳＢデバイス（給電装置）から所定電力以下の供給を受けるように電力を制限する。具体的には、電源ラインＶＢＵＳが５Ｖ、３Ａの電流以上の電力がＵＳＢデバイス（給電装置）から供給されないように通信制御部２０を介してＵＳＢデバイス（給電装置）に指示して制限する。制御部１０は、電源供給リストのうちの最も低い電力を要求するようにしても良い。
【０１４２】
一方、コールドソケット対応の場合には、当該電力制限処理を実行することなく通常処理を実行する。
【０１４３】
当該構成により、コールドソケット非対応のＵＳＢデバイス（給電装置）と接続される場合には、電力制限処理を実行することによりＵＳＢデバイス（給電装置）に対する過負荷や、機器加熱による燃焼等を抑制し、安全性を考慮した使用が可能である。
【０１４４】
なお、本例においては、ステップＳ１８の後に、ステップＳ１９の処理を実行する場合について説明したが、特に当該構成に限られず、ステップＳ１８の前に実行するようにしてもよい。また、ユーザが安全を確認できる場合には、電力制限処理を解除するようにしてもよい。
【０１４５】
図１４は、実施形態３に基づく受電装置１００の電源供給テストについて説明するフロー図である。
【０１４６】
図１４を参照して、図６のフロー図と比較してステップＳ４５の処理を追加した点が異なる。その他の処理については同様であるのでその詳細な説明については繰り返さない。
【０１４７】
ステップＳ４４において、不良判定と表示された場合に、制御部１０は、電力制限処理を実行する（ステップＳ４５）。
【０１４８】
具体的には、制御部１０は、ＵＳＢデバイス（給電装置）から所定電力以下の供給を受けるように電力を制限する。具体的には、電源ラインＶＢＵＳが５Ｖ、３Ａの電流以上の電力がＵＳＢデバイス（給電装置）から供給されないように通信制御部２０を介してＵＳＢデバイス（給電装置）に指示して制限する。制御部１０は、電源供給リストのうちの最も低い電力を要求するようにしても良い。
【０１４９】
一方、良好判定の場合には、当該電力制限処理を実行することなく通常処理を実行する。
【０１５０】
当該構成により、不良判定のＵＳＢデバイス（給電装置）と接続される場合には、電力制限処理を実行することによりＵＳＢデバイス（給電装置）に対する過負荷や、機器加熱による燃焼等を抑制し、安全性を考慮した使用が可能である。
【０１５１】
なお、本例においては、ステップＳ４４の後に、ステップＳ４５の処理を実行する場合について説明したが、特に当該構成に限られず、ステップＳ４４の前に実行するようにしてもよい。また、ユーザが安全を確認できる場合には、電力制限処理を解除するようにしてもよい。
【０１５２】
当該簡易なテスト機能を有することにより、安全にＵＳＢデバイス（給電装置）と接続可能な受電装置を実現することが可能である。
【０１５３】
＜他の形態＞
ＵＳＢ試験装置１は、ＵＳＢケーブルを介してＵＳＢデバイス（給電装置）あるいは、ＵＳＢデバイス（受電装置）の検査を実行するようにしてもよい。当該ＵＳＢケーブル起因による不良の判定も可能であり、ＵＳＢケーブルの品質が確認できる。
【０１５４】
以上、本開示を実施形態に基づき具体的に説明したが、本開示は、実施形態に限定されるものではなく、その要旨を逸脱しない範囲で種々変更可能であることはいうまでもない。
【符号の説明】
【０１５５】
１，１＃  給電装置、１０  制御部、１２  表示部、１４，２０  通信制御部、１５  電源制御部、１６，１８  コネクタ、１７，２１  検知部、２２  スイッチ、２４  負荷制御部、３３  ポートコンフィギュレーション配線、３４  電源配線、３６  接地配線、３７  プラグ用電源配線。
【図１】
2018185630.tif 000003
【図２】
2018185630.tif 000004
【図３】
2018185630.tif 000005
【図４】
2018185630.tif 000006
【図５】
2018185630.tif 000007
【図６】
2018185630.tif 000008
【図７】
2018185630.tif 000009
【図８】
2018185630.tif 000010
【図９】
2018185630.tif 000011
【図１０】
2018185630.tif 000012
【図１１】
2018185630.tif 000013
【図１２】
2018185630.tif 000014
【図１３】
2018185630.tif 000015
【図１４】
2018185630.tif 000016